(57)【要約】【課題】  介護入浴用の２分割（半截）可能な浴槽本体装置における分割された各介護浴槽本体部分の固結合をより一層容易になし得るようにする。【解決手段】  前部側の結合フランジ２１でのフランジ面に結合装置５１の固結機構５２を設け、かつ後部側の結合フランジ２２でのフランジ面の対応箇所に前記浴槽本体１０自体の長手方向に沿ってのみ回作動して固結機構に咬結合動作する外部回動ハンドル５３を配置させる。また、前部側のフランジ面下部に固結合止め軸部６１を設け、かつ後部側のフランジ面下部対応箇所に該固結合止め軸部６１を位置決めして受入れる固結合止め軸受け部６３を形成する。さらに、前部側支持脚３１を後方へ向けてのみ起状自在にする。【選択図】  図３
0003122260.tif 000002
【実用新案登録請求の範囲】
【請求項１】
可搬型で前後に各支持脚を配した平面長方形状の浴槽本体を有し、該浴槽本体を一方の前部側となる洗髪槽および前部側支持脚付きの半截浴槽本体部分と、他方の後部側となる中間部支持脚および後部側支持脚付きの半截浴槽本体部分とに分割して、これらの分割された各半截浴槽本体部分の分割面にそれぞれ結合フランジを設けると共に、該各半截浴槽本体部分でのフランジ面相互を弾褥性パッキングの介在で重ね合わせて結合装置による固結合を可能とし、かつ該各フランジ面相互を離しての分離を可能とする介護入浴用の２分割（半截）可能な浴槽本体装置であって、
前記前部側の結合フランジでのフランジ面に前記結合装置の固結機構を設け、かつ前記後部側の結合フランジでのフランジ面の対応箇所に対し、前記浴槽本体自体の長手方向に沿ってのみ回作動して前記固結機構部に咬結合動作する外部回動ハンドルを配置させ、また、
前記前部側のフランジ面下部に固結合止め軸部を設け、かつ前記後部側のフランジ面下部対応箇所に該固結合止め軸部を位置決めして受入れる固結合止め軸受け部を形成し、さらに、
前記前部側支持脚を後方へ向けてのみ起伏自在にしたこと
を特徴とする介護入浴用の２分割（半截）可能な浴槽本体装置。
【請求項２】
前記請求項１に記載の介護入浴用の２分割（半截）可能な浴槽本体装置において、
前記後部側のフランジ面下部に設けられる外部回動ハンドルが、該フランジ面の幅範囲外へ可及的に突出しないように寸法設定されていること
を特徴とする介護入浴用の２分割（半截）可能な浴槽本体装置。
【請求項３】
前記請求項１または２に記載の介護入浴用の２分割（半截）可能な浴槽本体装置において、
前記前部側のフランジ面下部に設けられる前記固結合止め軸部が、軸方向長さを特定した止め軸からなっており、かつ該固結合止め軸部に対応して形成される前記後部側のフランジ面下部の固結合止め軸受け部が、前記特定される止め軸を受入れて前記各半截浴槽本体部分の相互間を位置決めする軸受け溝であること
を特徴とする介護入浴用の２分割（半截）可能な浴槽本体装置。
【考案の詳細な説明】
【技術分野】
【０００１】
本考案は、身体動作の不自由ないわゆる寝たきり老人や身体障害者等の要介護者を介護入浴させるために用いる介護入浴用の２分割（半截）可能な浴槽本体装置に関し、さらに詳しくは、一般家屋へ可搬的に配備される平面長方形状の浴槽本体に対して施されるところの、容易に２分割（半截）して前部側の洗髪槽および支持脚付きの半截浴槽本体部分と、他方の後部側となる支持脚付きの半截浴槽本体部分とにされ、かつ同様に、これらの各半截浴槽本体部分相互を容易に一体的に組上げ得ることのできる介護入浴用の２分割（半截）可能な浴槽本体装置の改良に係るものである。
【背景技術】
【０００２】
一般に、この種の身体不自由者らの入浴に関しては、基本的に介護者による完全で効果的な入浴介護が必要であるものとされ、かつこの入浴介護を介護保険に頼る場合等にあっては、該入浴介護に伴う各種の要項や条件等の法制化もまたなされているのが現況である。
【０００３】
ここで、介護を伴う入浴設備に適用する一般的な浴槽本体装置については、従来から種々様々な形態のものが広汎に提案かつ実施されており、例えば、重度の身体障害をもつ要介護入浴者（障害等級２度および該２度以上）のためには、該要介護入浴者が居住する家屋内などに対して介護入浴用の２分割（半截）可能な浴槽本体装置を可搬的に持ち込んで組立て配置することにより介護入浴させるとか、あるいは巡回車両を用い、該浴槽本体装置を分割したままで車載搬送し、これを該当家屋の場所に巡回移動した上で、担架等で搬送した要介護入浴者を介護入浴させている。
【０００４】
また、比較的軽症な身体障害をもつ要介護入浴者（障害等級２度以下）のためには、家屋に配備されるこの種の介護入浴用の浴槽本体装置、特に平面長方形状の浴槽本体を利用し、該浴槽本体に対して予め入浴介護設備を施しておくことにより、意図する要介護入浴者の介護入浴を行なうようにしているのが通常の入浴形態であり、その典型的な従来の形態例としては、例えば、よく知られているところの、搬送車への車載搬送を容易にするため、該浴槽本体を長手方向に２分割（半截）可能にした各半截浴槽本体部分、すなわち、前部側と後部側との各半截浴槽本体部分Ａ，Ｂに２分割し、かつこれらの各半截浴槽本体部分Ａ，Ｂを再度組立て固結し得るようにした浴槽本体装置を設けている。
【０００５】
そして、前記２分割された各半截浴槽本体部分Ａ，Ｂの相互を、再度固結合させるのには、該各分割部分、すなわち、前部側の半截浴槽本体部分Ａと後部側の半截浴槽本体部分Ｂとに設けられて周囲に突出する鍔状の各結合フランジのフランジ面相互を一体的に重合固結させた状態で利用するようにしている。
【考案の開示】
【考案が解決しようとする課題】
【０００６】
しかしながら、上記従来での浴槽本体装置においては、該浴槽本体のそれ自体が比較的大型で重量もあることから、たとえ先のように各半截浴槽本体部分Ａ，Ｂに２分割されているとは言っても未だ相応の重量が残されており、その手持ち搬送に際しては、例えば、担当係員が数人で取扱わなければならない。そして、この点については、該一方の半截浴槽本体部分Ａに対して他方の半截浴槽本体部分Ｂを分割するとか、あるいは再度組み上げ固結合する場合にあっても全く同様である。
【０００７】
すなわち、例えば、該一方の半截浴槽本体部分Ａをその場に一旦押し止めておき、この押し止められた半截浴槽本体部分Ａから、他方の半截浴槽本体部分Ｂを二人して抱え込むようにして分割し、また、その組み上げ固結合についても、双方の結合フランジでの各フランジ面を相互に一致させて正確に位置決めした後に固結合する必要があるばかりか、そのほかにも種々の取扱いに困難さがつきまとっており、特に、その固結合一体化および解放分割化操作のための外部回動ハンドルが、該結合フランジでのフランジ幅の範囲外にまでも突出することで、その操作がとかく面倒、と言うよりも危険ですらもあって、未だ改善すべき課題が数多く存在するのが現状で、極めて取扱い難く厄介な商品の一つであるものとされている。
【０００８】
従って、本考案の主な目的は、従来のこのような各点を改善しようとするもので、前記２分割されている前部側および後部側の各浴槽本体部分を組み上げて固結合操作する外部回動ハンドルをフランジ面の幅範囲外には可及的に突出させなくすると共に、該前部側および後部側の各浴槽本体部分での位置決め固結合を容易かつ良好になし得るようにした介護入浴用の２分割（半截）可能な浴槽本体装置を提供することである。
【課題を解決するための手段】
【０００９】
上記各目的を達成するために、本考案に係る請求項１に記載の介護入浴用の２分割（半截）可能な浴槽本体装置は、
可搬型で前後に各支持脚を配した平面長方形状の浴槽本体を有し、該浴槽本体を一方の前部側となる洗髪槽および前部側支持脚付きの半截浴槽本体部分と、他方の後部側となる中間部支持脚および後部側支持脚付きの半截浴槽本体部分とに分割して、これらの分割された各半截浴槽本体部分の分割面にそれぞれ結合フランジを設けると共に、該各半截浴槽本体部分でのフランジ面相互を弾褥性パッキングの介在で重ね合わせて結合装置による固結合を可能とし、かつ該各フランジ面相互を離しての分離を可能とする介護入浴用の２分割（半截）可能な浴槽本体装置であって、
前記前部側の結合フランジでのフランジ面に前記結合装置の固結機構を設け、かつ前記後部側の結合フランジでのフランジ面の対応箇所に対し、前記浴槽本体自体の長手方向に沿ってのみ回作動して前記固結機構部に咬結合動作する外部回動ハンドルを配置させ、また、
前記前部側のフランジ面下部に固結合止め軸部を設け、かつ前記後部側のフランジ面下部対応箇所に該固結合止め軸部を位置決めして受入れる固結合止め軸受け部を形成し、さらに、
前記前部側支持脚を後方へ向けてのみ起伏自在にしたこと
を特徴としている。
【００１０】
本考案に係る請求項２に記載の介護入浴用の２分割（半截）可能な浴槽本体装置は、前記請求項１の浴槽本体装置において、
前記後部側のフランジ面下部に設けられる外部回動ハンドルが、該フランジ面の幅範囲外へ可及的に突出しないように寸法設定されていること
を特徴としている。
【００１１】
本考案に係る請求項３に記載の介護入浴用の２分割（半截）可能な浴槽本体装置は、前記請求項１または２の浴槽本体装置において、
前記前部側のフランジ面下部に設けられる前記固結合止め軸部が、軸方向長さを特定した止め軸からなっており、かつ該固結合止め軸部に対応して形成される前記後部側のフランジ面下部の固結合止め軸受け部が、前記特定される止め軸を受入れて前記各半截浴槽本体部分の相互間を位置決めする軸受け溝であること
を特徴としている。
【考案の効果】
【００１２】
請求項１の２分割（半截）可能な浴槽本体装置によれば、２分割されている前部側および後部側の各浴槽本体部分を組み上げて固結合操作する外部回動ハンドルを、浴槽本体自体の長手方向に沿ってのみ回作動されるようにしたから、該外部回動ハンドルが各浴槽本体部分の結合フランジでのフランジ面の幅範囲外には可及的に突出せず、これによって各浴槽本体部分の固結合操作がし易くなり、かつその他の危険性なども簡単に排除される。
【００１３】
また、前記前部側の結合フランジでのフランジ面下部には、固結合止め軸部を設けた上で、前記後部側の結合フランジでのフランジ面下部対応箇所には、該固結合止め軸部を受入れる固結合止め軸受け部、ひいては止め軸受け溝を形成したから、単に、一方の固結合止め軸部を他方の固結合止め軸受け溝内に落とし込むだけで極めて容易かつ手軽に各浴槽本体部分相互の位置決めをなし得る。
【００１４】
さらに、前記前部側浴槽本体部分の支持脚を起伏自在にしたので、該前部側の浴槽本体部分の前記後部側の浴槽本体部分からの分離に際して、該前部側の浴槽本体部分の前傾姿勢が効果的に果たされる。
【００１５】
請求項２の２分割（半截）可能な浴槽本体装置では、前記した外部回動ハンドルでの回作動、つまり、浴槽本体自体の長手方向に沿ってのみ回作動される構成を簡単かつ容易に達成できる。
【００１６】
請求項３の２分割（半截）可能な浴槽装本体置では、前記した固結合のための止め軸部と該止め軸部を受け入れて位置決めする止め軸受け部とを、前者の止め軸部が止め軸により、後者の止め軸受け部が該止め軸の軸受け溝によりそれぞれ容易に構成され、かつ前記各浴槽本体部分相互の位置決めもまた容易に行ない得るのである。
【考案を実施するための最良の形態】
【００１７】
以下、本考案に係る介護入浴用の２分割（半截）可能な浴槽本体装置の実施形態例につき、添付図面を参照して詳細に説明する。
【００１８】
添付図面において、図１は、本考案の一実施形態例を適用した分割かつ組み立てし得る介護入浴用の２分割（半截）可能な浴槽本体装置の使用状態（組み立て固結合した状態）による概要構成を摸式的に示す平面説明図、図２は、同上浴槽本体装置での使用状態による概要構成を摸式的に示す側面説明図であって、図３は、同上浴槽本体装置での不使用状態（この場合は分解しつつある経過状態）による概要構成を摸式的に示す側面説明図、図４は、同上浴槽本体装置での不使用状態（分解して車載可能な収容状態）による概要構成を摸式的に示す側面説明図である。
【００１９】
また、図５は、同上２分割（半截）可能な浴槽本体装置での外部回動ハンドル部の概要構成を模式的に示す拡大した部分説明図、図６は、同上２分割（半截）可能な浴槽本体装置での固結合軸部および固結合軸受け部の概要構成を模式的に示す拡大した部分説明図である。
【００２０】
これらの図１ないし図４、および図５，図６の装置構成各図において、本実施例による可搬型で車載搬送し得る浴槽本体は、耐衝撃性に優れる強靭な合成樹脂などで一体化成型されるところの、前後に支持脚を配した平面長方形状の浴槽本体１０からなっており、かつ該浴槽本体１０をして、一方の前部側となる洗髪槽部１１ａ、前部側支持脚３１、および上周縁折返しエプロン１１ｂ付きの半截浴槽本体部分１１と、他方の後部側となる中間部支持脚３２ａ、後部側支持脚３２ｂ、および上周縁折返しエプロン１２ｂ付きの半截浴槽本体部分１２とに２分割してある。なお、前記前部側の半截浴槽本体部分１１の底面部には適宜水抜き部１１ｃなどを設ける。
【００２１】
そして、これらの分割された各半截浴槽本体部分１１，１２の各分割面に対しては、前記上周縁折返しエプロン１１ｂ，１２ｂ部分を含む外側の両側面部から底面部にかけてそれぞれに結合フランジ２１，２２を設けると共に、各フランジ面の相互間を弾褥かつ水密的にシールさせるべく、その何れか一方（本実施例の場合、一方の半截浴槽本体部分１１の結合フランジ２１側であるが、他方の半截浴槽本体部分１２の結合フランジ２２側であってもよい）に弾褥性パッキング４１を介在させた上で、これらの前部側および後部側の各結合フランジ２１，２２のフランジ面相互を重ね合わせた状態での結合装置５１による固結合（図１，２を参照）ができるようになっている。
【００２２】
また、前記各半截浴槽本体部分１１，１２の結合フランジ２１，２２での各フランジ面相互を離しての分離（分離中間経過としての図３と、後部側の半截浴槽本体部分１２の上方から前部側の半截浴槽本体部分１１を重ねて一纏めに収容した図４とを参照）ができるようにされ、さらに、後部側の半截浴槽本体部分１２の上方から前部側の半截浴槽本体部分１１を重ねて収容することで車載を可能にしてある。
【００２３】
ここで、前記後部側の半截浴槽本体部分１２に設けた結合フランジ２２には、前記結合装置５１の一方となる固結機構５２を配してあり、かつ前記前部側の半截浴槽本体部分１１の結合フランジ２１での対応箇所にあっては、同様に、該固結機構５２に咬結合動作させることで、これらの前記後部側の半截浴槽本体部分１２に対して、前記前部側の半截浴槽本体部分１１を固結合または分離操作するところの、前記結合装置５１の他方となる外部回動ハンドル５３を配置させると共に、該後者の外部回動ハンドル５３については、先の前記浴槽本体１０自体の長手方向に沿ってのみ回作動可能（これによって該長手方向に直交する方向、つまり、結合フランジ２１でのフランジの幅範囲外には突出しない）に操作できるように枢支されている。
【００２４】
すなわち、これらの前記固結機構５２と外部回動ハンドル５３とのそれぞれについては、先にも同時に述べた如く、後部側の半截浴槽本体部分１２に対して前部側の半截浴槽本体部分１１を固結合止着するための結合装置５１を構成して機能する。
【００２５】
また、前記前部側の半截浴槽本体部分１１の結合フランジ２１でのフランジ面下部には、止め軸６２を持つ固結合止め軸部６１を設けてあり、前記後部側の半截浴槽本体部分１２の結合フランジ２２でのフランジ面下部の対応箇所にあっては、該固結合軸部６１を落とし込んで、これらの各結合フランジ２１，２２の両者間、ひいては各半截浴槽本体部分１１，１２間を相互に位置決めすると共に、その下部相互間を全一体的に固結合するところの、前記止め軸６２を受入れて位置決め、および固結合する軸受け溝６４を持つ固結合止め軸受け部６３（上部相互間の全一体的な固結合については前記固結機構５２への外部回動ハンドル５３の咬結合動作によって行なう）を設ける。
【００２６】
さらに、前記前部側の半截浴槽本体部分１１の支持脚、つまり、前記した前部側支持脚３１を後方へ向けてのみ（前記後部側の半截浴槽本体部分１２の方向へ向けてのみ）起伏自在にしてある。
【００２７】
従って、図１および図２に示されているところの、前記前部側および後部側の各半截浴槽本体部分１１，１２の相互を一体的に固結合した状態（介護入浴可能な状態）から、前記車載搬送のためなどに各半截浴槽本体部分１１，１２の相互を分離するためには、先ず、押し下げられることで、これらの各半截浴槽本体部分１１，１２相互間を固結合する外部回動ハンドル５３をして、該押し下げ咬結合位置から矢印で示すように上方へ回作動して押し上げる。
【００２８】
すると、前記後部側の半截浴槽本体部分１２の固結機構５２に対する前部側の半截浴槽本体部分１１の外部回動ハンドル５３による咬結合が解放され、該前部側の半截浴槽本体部分１１は、図３に示す如く、その前部側支持脚３１が後方へ向けてのみ起伏可能にされていることから、前記固結合軸部６１の止め軸６２を中心に前傾し、また前部側支持脚３１も後方へ向けて屈曲して該前傾を許容することになるので、各半截浴槽本体部分１１，１２間相互の固結合が解かれ、この前部側の半截浴槽本体部分１１が移動、つまり、分離自在になる。
【００２９】
そこで、次ぎに前記後部側の半截浴槽本体部分、すなわち中間部支持脚３２ａと後部側支持脚３２ｂとで使用状態に正立したままの後部側の半截浴槽本体部分１２での前記固結合止め軸受け部６３の軸受け溝６４に落とし込んで位置決めしてあるところの、前部側の半截浴槽本体部分１１、ひいては固結合軸部６１の止め軸６２を取り外すことにより、該前部側の半截浴槽本体部分１１を容易に分離でき、かつこのように操作して分離した前部側の半截浴槽本体部分１１は、図４に示す如く、後部側の半截浴槽本体部分１２での上方から重ね合わせて小型コンパクトに収載させることができるのである。
【００３０】
また、前記前部側および後部側の各半截浴槽本体部分１１，１２の相互を一体的に固結合して介護入浴可能な状態に戻すのには、先の分離操作とは逆に操作すればよい。すなわち、車載状態から降ろして適所に配置させた後部側の半截浴槽本体部分１２での固結合止め軸受け部６３の軸受け溝６４に対して、前部側の半截浴槽本体部分１１での固結合軸部６１の止め軸６２を落し込む操作だけで、これらの前部側および後部側の各半截浴槽本体部分１１，１２での相互、つまり、各結合フランジ１２，２２のフランジ面の相互を正確に位置決めすることができる（図３を参照）。
【００３１】
そして、この状態のままで押し上げられている外部回動ハンドル５３を、あらためて押し下げることで、結合装置５１のこれらの各半截浴槽本体部分１１，１２相互間を固結合する外部回動ハンドル５３をして、該押し下げ咬結合位置から矢印で示すように上方へ回作動して押し上げることにより、固結機構５２への外部回動ハンドル５３による咬結合がなされ、結果的には、これらの各半截浴槽本体部分１１，１２相互間が固結合される（図１，図２を参照）のである。
【００３２】
以上のようにして、本実施形態例による介護入浴用の２分割（半截）可能な浴槽本体装置の場合には、浴槽本体１０を構成する前部側の浴槽本体部分１１と後部側の浴槽本体部分１２との分割、組み立て仕様が果たされることも相俟って、該後部側の浴槽本体部分１２への前部側の浴槽本体部分１１の重合車載が可能になり、極めて実用性に優れるのである。
【産業上の利用可能性】
【００３３】
以上、実施形態によって詳述したように、本考案に係る分割かつ組み立て可能な介護入浴用の浴槽本体装置は、同種の移動浴槽装置などにも容易に適用できるもので、従来問題とされているところの、分割された各半截浴槽本体部分での位置決め、固結合保持や、搬入、搬出などを簡単に改善できるのである。
【図面の簡単な説明】
【００３４】
【図１】本考案の一実施例を適用した分割かつ組み立てし得る介護入浴用の２分割（半截）可能な浴槽本体装置の使用状態（組み立て固結合した状態）による概要構成を摸式的に示す平面説明図である。
【図２】同上浴槽本体装置での使用状態による概要構成を摸式的に示す側面説明図である。
【図３】同上浴槽本体装置での不使用状態（この場合は分解しつつある経過状態）による概要構成を摸式的に示す側面説明図である。
【図４】同上浴槽本体装置での不使用状態（分解して車載可能な収容状態）による概要構成を摸式的に示す側面説明図である。
【図５】同上２分割（半截）可能な浴槽本体装置での外部回動ハンドル部の概要構成を模式的に示す拡大した部分説明図である。
【図６】同上２分割（半截）可能な浴槽本体装置での固結合軸部および固結合軸受け部の概要構成を模式的に示す拡大した部分説明図である。
【符号の説明】
【００３５】
１０        浴槽本体
１１        前部側の半截浴槽本体部分
１１ａ      洗髪槽部
１１ｂ      上周縁折返しエプロン
１２        後部側の半截浴槽本体部分
１２ｂ      上周縁折返しエプロン
２１，２２  結合フランジ
３１        前部側支持脚
３２ａ      中間部支持脚
３２ｂ      後部側支持脚
４１        弾褥性パッキング
５１        結合装置
５２        固結機構
５３        外部回動ハンドル
６１        固結合止め軸部
６２        止め軸
６３        固結合止め軸受け部
【図１】
0003122260.tif 000003
【図２】
0003122260.tif 000004
【図３】
0003122260.tif 000005
【図４】
0003122260.tif 000006
【図５】
0003122260.tif 000007
【図６】
0003122260.tif 000008